(57)【要約】【課題】  患者の体から抜きとるときの操作が容易になるとともに、安全性の向上が図れる医療用針の引抜具を提供すること。【解決手段】  後端部に排液チューブ１６を接続するための接続部１３が形成され、先端部に穿刺部１２が形成された医療用針１０における穿刺部１２の後部側に係合用段部１４を形成した。そして、医療用針１０に取り付けられる引抜具２０に、穿刺部１２を被覆する針先被覆部２１と、係合用段部１４に係合する係合狭部２５とを設けた。さらに、引抜具２０に、医療用針１０を引抜具２０とともに創傷部から引き抜くときに、手で引っ張るための把持部２２ａ，２２ｂを設けた。【選択図】  図１０
2008093124.tif 000002
【特許請求の範囲】
【請求項１】
手術後の創傷部に配置される排液チューブを接続するための接続部が後端部に形成され、先端部に穿刺部が形成されているとともに、前記穿刺部の後部側に係合用段部が形成された医療用針に取り付けられる医療用針の引抜具であって、
前記穿刺部を被覆する針先被覆部と、前記係合用段部に係合する係合部とを備えたことを特徴とする医療用針の引抜具。
【請求項２】
前記医療用針の穿刺部に前記引抜具を取り付けて前記医療用針を前記引抜具とともに前記創傷部から引き抜くときに、手で前記引抜具を引っ張るための把持部を設けた請求項１に記載の医療用針の引抜具。
【請求項３】
前記針先被覆部を前記穿刺部の延びる方向に沿うように長く形成し、前記把持部を前記針先被覆部の幅方向の両側から前記針先被覆部に直交するようにしてそれぞれ異なる方向に延びる一対の突出部で構成した請求項２に記載の医療用針の引抜具。
【請求項４】
前記針先被覆部を、一方の縁部がヒンジ連結され互いに折り重なることにより内部に前記穿刺部を収容するための針先収容部が形成される一対の被覆部材で構成し、前記係合部を前記一対の被覆部材が折り重なったときに接合する接合面の所定部分に形成され前記針先被覆部の内部から外部に貫通する凹部で構成した請求項１ないし３のうちのいずれか一つに記載の医療用針の引抜具。
【請求項５】
前記針先被覆部を構成する一対の被覆部材に、前記一対の被覆部材を折り重なった状態に維持するためのチャック部を設けた請求項４に記載の医療用針の引抜具。
【発明の詳細な説明】
【技術分野】
【０００１】
本発明は、手術後の創傷部に排液チューブを挿入するために用いられる医療用針を創傷部から引き抜くときに用いられる医療用針の引抜具に関する。
【背景技術】
【０００２】
従来から、外科手術の後に、創傷部に排液チューブを挿入して創傷部に生じる体内の分泌液を排出することが行われている。このような場合、排液チューブの先端部に医療用針を取り付けて、医療用針を患者の体に通すことにより、排液チューブの後端側部分を創傷部に留置させている。そして、排液チューブの先端部から医療用針を取り外したのちに、その先端部に、捕集容器からポンプを介して延びるホースの端部を接続してポンプを作動させることにより創傷部の分泌液を捕集容器内に吸引するようにしている（例えば、特許文献１参照）。
【特許文献１】特開平４−２６１６７０号公報
【発明の開示】
【０００３】
このような従来の医療用針を、患者の体から引き抜くときには、手で直接医療用針を持ったり、鉗子で医療用針を挟んだりしながら引き抜き操作が行われている。しかしながら、手や鉗子で医療用針を患者の体から引き抜く場合には、医療用針が滑りやすくなって引き抜くための操作がし難いという問題や、医療用針の穿刺部に手が触れて怪我をするおそれがある。また、使用後の医療用針を廃棄する際には、針先部分をキャップ等で被覆しなければ安全性に問題が生じる。
【０００４】
本発明はこのような事情に鑑みなされたものでその目的は、患者の体から引き抜くときの操作が容易になるとともに、安全性の向上が図れる医療用針の引抜具を提供することである。
【０００５】
前述した目的を達成するため、本発明に係る医療用針の引抜具の構成上の特徴は、手術後の創傷部に配置される排液チューブを接続するための接続部が後端部に形成され、先端部に穿刺部が形成されているとともに、穿刺部の後部側に係合用段部が形成された医療用針に取り付けられる医療用針の引抜具であって、穿刺部を被覆する針先被覆部と、係合用段部に係合する係合部とを備えたことにある。
【０００６】
本発明に係る医療用針の引抜具は、医療用針の穿刺部を被覆するための針先被覆部と、医療用針における穿刺部の後部側に形成された係合用段部に係合させるための係合部とを備えている。このため、医療用針を体から引き抜く際には、医療用針の穿刺部に引抜具を取り付けて、引抜具を持って操作することにより、操作の際に手が滑ることが防止され、医療用針を患者の体から引き抜くための操作が容易になる。その際、医療用針の穿刺部は針先被覆部によって覆われているため穿刺部に手が触れて怪我をするといったことはなくなる。
【０００７】
また、引抜具の係合部が、医療用針の係合用段部に係合するため、引抜具を引っ張ることにより、医療用針を確実に患者の体から引き抜くことができる。この場合の係合用段部としては、医療用針の外周面から窪んだ凹部で構成してもよいし、医療用針の外周面から突出した突部で構成してもよいが、医療用針を穿刺する際の抵抗を大きくしないためには凹部で構成することが好ましい。さらに、使用後の医療用針を廃棄する際には、引抜具を穿刺部に取り付けたままの状態にしておくことができる。このため、医療用針から引抜具を取り外して、別途廃棄用のキャップ等を穿刺部に取り付ける必要がなくなる。
【０００８】
また、本発明に係る医療用針の引抜具の他の構成上の特徴は、医療用針の穿刺部に引抜具を取り付けて医療用針を引抜具とともに創傷部から引き抜くときに、手で引抜具を引っ張るための把持部を設けたことにある。これによると、医療用針を体から引き抜くときの操作を把持部を持って行えるようになるため、医療用針を患者の体から引き抜くための操作がさらに容易になるとともに、確実に行えるようになる。
【０００９】
また、本発明に係る医療用針の引抜具のさらに他の構成上の特徴は、針先被覆部を穿刺部の延びる方向に沿うように長く形成し、把持部を針先被覆部の幅方向の両側から針先被覆部に直交するようにしてそれぞれ異なる方向に延びる一対の突出部で構成したことにある。これによると、引抜具の形状がＴ字状または十字状になるため、手の指と指との間に、針先被覆部を位置させた状態で一対の突出部からなる把持部を持つことができるため、手に力を入れやすくなり医療用針を患者の体から引き抜くための操作がさらに容易になる。
【００１０】
また、本発明に係る医療用針の引抜具のさらに他の構成上の特徴は、針先被覆部を、一方の縁部がヒンジ連結され互いに折り重なることにより内部に穿刺部を収容するための針先収容部が形成される一対の被覆部材で構成し、係合部を一対の被覆部材が折り重なったときに接合する接合面の所定部分に形成され針先被覆部の内部から外部に貫通する凹部で構成したことにある。
【００１１】
これによると、穿刺部を挟むようにして一対の被覆部材を折り重ねることにより、引抜具を医療用針に取り付けることができるため、引抜具の医療用針への取り付けが容易になる。また、引抜具の医療用針への係合は、一対の被覆部材を折り重ねる際に、一対の被覆部材の接合面に形成された凹部を医療用針の係合用段部に位置決めするだけで済むため、操作が容易になる。なお、針先収容部は、穿刺部を収容できる大きさや構造になっていればどのように構成してもよいが、穿刺部の形状に対応する凹部で構成することが好ましい。これによると、針先収容部内で穿刺部ががたつくことがなくなり、引抜具の医療用針への取り付けがより強固なものになる。
【００１２】
また、本発明に係る医療用針の引抜具のさらに他の構成上の特徴は、針先被覆部を構成する一対の被覆部材に、一対の被覆部材を折り重なった状態に維持するためのチャック部を設けたことにある。この場合のチャック部としては、互いに係合可能な凹部と突部等、係合することにより一対の被覆部材を折り重なった状態に維持できるものであればよい。これによると、医療用針の穿刺部に取り付けられた引抜具が穿刺部から外れることがなくなるため、医療用針を患者の体から引き抜くための操作が容易になるとともに、安全性の向上も図れる。また、チャック部は、係合部の近傍に設けることが好ましく、これによって、その効果がさらに大きなものとなる。
【発明を実施するための最良の形態】
【００１３】
（第１実施形態）
以下、本発明の第１実施形態を図面を用いて詳しく説明する。図１および図２は、同実施形態に係る引抜具２０（図４および図５参照）が取り付けられる金属製の医療用針１０を示している。この医療用針１０は、直径が小さな円柱状の針本体１１と、針本体１１の先端側に形成された穿刺部１２と、針本体１１の後端に形成された接続部１３とで構成されており、針本体１１と穿刺部１２との間には係合用段部１４が形成され、針本体１１の長手方向に沿った先端側部分には細径部１５が形成されている。
【００１４】
穿刺部１２は、図２のように、先端部が先鋭な頂点部１２ａに形成され、その頂点部１２ａから後方上部に向って傾斜した稜線部１２ｂを形成するように、平面状の側面１２ｃ，１２ｄが両側に形成された針状体で構成されている。以下、穿刺部１２側を前方、接続部１３側を後方、図１における稜線部１２ｂの頂点部１２ａ側を下方、稜線部１２ｂの頂点部１２ａと反対側を上方として説明する。
【００１５】
また、接続部１３は、図３に示したように、医療用針１０を排液チューブ１６に接続させるために設けられたものであり、針本体１１よりも直径の小さな棒状部１３ａと、棒状部１３ａの周面に長手方向に間隔を保って形成された複数個の抜け止め突部１３ｂとで構成されている。この抜け止め突部１３ｂは、後部側部分の直径よりも前部側部分の直径が大きくなるように、外周面にテーパが設けられた略リング状の突部で構成されている。このため、医療用針１０に排液チューブ１６を接続する際には、接続部１３を覆うようにして排液チューブ１６を接続部１３の後部に押し付けると、排液チューブ１６の内面が抜け止め突部１３ｂのテーパ面上を滑るようにして進み、排液チューブ１６は接続部１３に接続される。また、一旦排液チューブ１６が接続部１３に接続されると、各抜け止め突部１３ｂの前端周縁部が抵抗となって排液チューブ１６は接続部１３から外れ難くなる。
【００１６】
係合用段部１４は、穿刺部１２側に位置し、穿刺部１２の後端部よりもやや直径が小さくなった係合凹部１４ａと、針本体１１側に形成されたテーパ部１４ｂとで構成されている。テーパ部１４ｂは、針本体１１の前端部から係合凹部１４ａの後端部にかけて形成されており、針本体１１の前端部から係合凹部１４ａの後端部側にいくほど徐々に直径が小さくなっている。細径部１５は、接続部１３の棒状部１３ａと略同じ太さに形成された棒状の可撓部１５ａと、可撓部１５ａの両端側に形成されたテーパ部１５ｂ，１５ｃとで構成されている。テーパ部１５ｂは、可撓部１５ａの前端部から前方にいくほど直径が大きくなっており、テーパ部１５ｃは、可撓部１５ａの後端部から後方にいくほど直径が大きくなっている。
【００１７】
引抜具２０は、樹脂材料を一体成形することにより形成されており、図４および図５に示したように、展開したときに略十字状になり閉じたときに略Ｔ字状になるように形成されている。この引抜具２０は、針先被覆部２１と針先被覆部２１の両側に形成された一対の把持部２２ａ，２２ｂとで構成されている。針先被覆部２１は、被覆部本体２１ａと蓋部２１ｂとからなる一対の被覆部材を一端（図５の左上側）に設けられた連結縁部２１ｃでヒンジ連結して構成されており、連結縁部２１ｃを中心として回転することにより互いに進退できるようになっている。
【００１８】
被覆部本体２１ａは、一端から他端に延びる細長く厚みの厚い略板状に形成され、他端から一端側に向って、医療用針１０の穿刺部１２を収容できる針先収容凹部２３が上面（図４の状態での上面）を開口させた状態で形成されている。この針先収容凹部２３は、穿刺部１２の上部側を下方に向けた状態（図１の上下を反転させた状態）で収容できるように形成されている。そして、穿刺部１２を、針先収容凹部２３内に収容したときには、穿刺部１２はがたつくことなく針先収容凹部２３の壁面に略接触した状態になる。
【００１９】
また、被覆部本体２１ａの上面における針先収容凹部２３の周囲には、針先収容凹部２３の形状を拡大するように広がった針先形状テーパ面２３ａが形成されている。この針先形状テーパ面２３ａは、被覆部本体２１ａの上面（周縁側部分）から針先収容凹部２３に近づくほど高さが低くなった傾斜面で構成されている。また、針先形状テーパ面２３ａの他端側における針先収容凹部２３の両側部分には、係合凹部２４ａ，２４ｂが形成されている。そして、被覆部本体２１ａの他端における針先収容凹部２３に対応する部分には、幅が、針先収容凹部２３の幅よりも小さくなった係合狭部２５が形成されている。この係合狭部２５は、被覆部本体２１ａの針先収容凹部２３と外部との間を貫通して形成されており、幅が、穿刺部１２の後端部よりも小さく、係合用段部１４の係合凹部１４ａよりもやや大きく設定されている。
【００２０】
蓋部２１ｂは、連結縁部２１ｃを中心として回転することにより、被覆部本体２１ａの上面を覆うことのできる細長い板体で構成されており、連結縁部２１ｃ側部分は表裏ともに平面状に形成されている。そして、他端側部分（図５における右下側部分）は、表面が一定間隔で複数の溝部を形成することにより凹凸面に形成され、内面における針先形状テーパ面２３ａに対向する部分には、幅方向の中央側が突出した凸面２６が形成されている。この凸面２６は、幅方向の両側部分がそれぞれ針先形状テーパ面２３ａに接面できるテーパ面２６ａに形成され、両テーパ面２６ａの間の中央部が細長い平面２６ｂに形成されている。
【００２１】
したがって、蓋部２１ｂで被覆部本体２１ａの上面を覆うと、蓋部２１ｂの内面における連結縁部２１ｃ側部分は、被覆部本体２１ａの連結縁部２１ｃ側の上面に接面するとともに、テーパ面２６ａは針先形状テーパ面２３ａに接面し、平面２６ｂは、針先収容凹部２３の上面開口を塞ぐ。また、平面２６ｂの他端部は、係合狭部２５の開放された上部を塞ぐ。針先収容凹部２３と平面２６ｂとで本発明の針先収容部が構成され、係合狭部２５と平面２６ｂの他端部とで本発明の係合部または凹部が構成される。そして、両テーパ面２６ａの他端側部分には、それぞれ係合凹部２４ａ，２４ｂに係合可能な係合突部２７ａ，２７ｂが形成されている。この係合凹部２４ａ，２４ｂと係合突部２７ａ，２７ｂとで本発明のチャック部が構成される。
【００２２】
被覆部本体２１ａにおける係合凹部２４ａ（，２４ｂ）が形成された部分の断面は、図６のように現われ、蓋部２１ｂにおける係合突部２７ａ（，２７ｂ）が形成された部分の断面は、図７のように現われる。すなわち、係合凹部２４ａ（，２４ｂ）は、針先形状テーパ面２３ａに設けられた開口部２８の他端縁部に小突起２８ａが設けられた凹部で構成されており、係合突部２７ａ（，２７ｂ）は、係合凹部２４ａ（，２４ｂ）の小突起２８ａに係合可能な小突起２９を備えた弾性突部で構成されている。
【００２３】
また、小突起２９の先端面はテーパ状に形成されており、蓋部２１ｂで被覆部本体２１ａの上面を覆うと、係合突部２７ａ（，２７ｂ）は、撓みながら開口部２８内に入っていき、小突起２９が小突起２８ａを越えたところで、係合突部２７ａ（，２７ｂ）は、元の状態に戻り、小突起２９と小突起２８ａとが係合する。これによって、被覆部本体２１ａと蓋部２１ｂとが折り重なった状態が維持される。また、図８に、被覆部本体２１ａの長手方向の略中央の断面を他端側から一端側に向って見た状態を示している。
【００２４】
把持部２２ａ，２２ｂは、被覆部本体２１ａの連結縁部２１ｃ側部分の両側からそれぞれ異なる反対方向に被覆部本体２１ａと直交するように延びており、一方の縁部は直線状に形成され他方の縁部は、手で持ち易いように中央側（被覆部本体２１ａ側）が窪んだ湾曲状に形成されている。また、把持部２２ａ，２２ｂの上面と、被覆部本体２１ａの上面との間には、被覆部本体２１ａの上面が低くなる段差が設けられている。この段差によって、蓋部２１ｂが被覆部本体２１ａの上面を覆ったときに、蓋部２１ｂの上面と把持部２２ａ，２２ｂの上面との間に段差ができず、引抜具２０の表面は平面状になる。
【００２５】
この構成において、排液チューブ１６を患者の創傷部（図示せず）に取り付ける場合には、まず、図３に示したように、排液チューブ１６の先端部を医療用針１０の接続部１３に接続する。つぎに、医療用針１０を、穿刺部１２から患者の体内における切開部から創傷部に向けて差し込んだのちに、穿刺部１２を体の所定部分から体外に出す。この場合、必要に応じて、細径部１５を曲げることにより医療用針１０を創傷部の適正位置に穿刺できるようにする。そして、医療用針１０における穿刺部１２が体外に出たところで、引抜具２０を穿刺部１２に取り付ける。この場合、図４に示したように、展開した状態の針先被覆部２１の針先収容凹部２３内に、係合用段部１４の係合凹部１４ａを係合狭部２５に位置決めした状態で穿刺部１２を入れて図９の状態にする。
【００２６】
そして、蓋部２１ｂを回転して、被覆部本体２１ａの上面を覆い、蓋部２１ｂを被覆部本体２１ａに押し付けることにより、係合突部２７ａを係合凹部２４ａに係合させるとともに、係合突部２７ｂを係合凹部２４ｂに係合させる。これによって、医療用針１０の穿刺部１２は、引抜具２０の針先被覆部２１に強固に係合した状態で被覆され、図１０の状態になる。つぎに、引抜具２０の把持部２２ａ，２２ｂを手で持って引っ張ることにより、医療用針１０を体外に引き出す。
【００２７】
そして、排液チューブ１６の先端側部分が体外に出て、排液チューブ１６の後端部が創傷部に位置したところで引っ張る操作を止め、排液チューブ１６の医療用針１０との接続部側部分を鋏で切断する。ついで、排液チューブ１６の切断した部分を所定の吸引装置（図示せず）に接続する。そして、吸引装置を作動させることにより、創傷部に生じる分泌液を排液チューブ１６を介して吸引装置で吸引することができる。また、使用後の医療用針１０は、引抜具２０を取り付けたままの状態で廃棄する。
【００２８】
このように、本実施形態に係る引抜具２０は、医療用針１０の穿刺部１２を被覆するための針先被覆部２１と、穿刺部１２の後部側に形成された係合用段部１４の係合凹部１４ａに係合させるための係合狭部２５と平面２６ｂの他端部とで構成される係合部と、把持部２２ａ，２２ｂとで構成されている。このため、医療用針１０を体から引き抜く際には、穿刺部１２に引抜具２０を取り付けて、把持部２２ａ，２２ｂを持って操作することにより、操作の際に手が滑ったり、穿刺部１２に手が触れて怪我をしたりすることなく、医療用針１０を患者の体から容易に引き抜くことができる。
【００２９】
また、この場合、引抜具２０の係合狭部２５と平面２６ｂの他端部とで構成される係合部が、医療用針１０の係合用段部１４に係合するため、引抜具２０を引っ張る際に、引抜具２０が医療用針１０から外れることがなくなり、医療用針１０を確実に体から引き抜くことができる。さらに、使用後の医療用針１０を廃棄する際には、引抜具２０を穿刺部１２に取り付けたままの状態にしておくことができるため、医療用針１０から引抜具２０を取り外して、別途廃棄用のキャップ等を穿刺部１２に取り付ける必要がなくなる。このため、廃棄用のキャップ等が不要になるとともに、それを取り付けるための操作も不要になる。
【００３０】
また、針先被覆部２１を、連結縁部２１ｃでヒンジ連結された被覆部本体２１ａと蓋部２１ｂとで構成して、穿刺部１２を挟むようにして被覆部本体２１ａと蓋部２１ｂとを折り重ねることにより、引抜具２０を医療用針１０に取り付けることができるため、引抜具２０の医療用針１０への取り付けが容易になる。さらに、針先収容凹部２３が、穿刺部１２の形状に対応する凹部に形成され、この針先収容凹部２３の上面を蓋部２１ｂの平面２６ｂで閉塞するように構成されているため、針先収容凹部２３内で穿刺部１２ががたつくことがなくなり、引抜具２０の医療用針１０への取り付けがより強固なものになる。
【００３１】
また、引抜具２０の医療用針１０への係合が、被覆部本体２１ａと蓋部２１ｂとを折り重ねる際に、係合狭部２５を医療用針１０の係合用段部１４に位置決めするだけで済むため、操作が容易になる。さらに、被覆部本体２１ａと蓋部２１ｂとを互いに押し付けて、係合凹部２４ａと係合突部２７ａおよび係合凹部２４ｂと係合突部２７ｂとをそれぞれ係合させるだけで、引抜具２０が穿刺部１２から外れることをなくし引抜具２０が医療用針に取り付けられた状態を維持することができる。
【００３２】
（第２実施形態）
図１１ないし図１５は、本発明の第２実施形態に係る引抜具３０を展開した状態を示している。この引抜具３０では、把持部３１，３２が、それぞれ一体からなる突部でなく、２個の蓋状部材を重ねて組み付けることにより前述した把持部２２ａ，２２ｂと外形が同じ把持部に形成されるようになっている。すなわち、把持部３１は、把持部本体３１ａと蓋部３１ｂとからなる一対の蓋状部材を連結縁部３１ｃでヒンジ連結して構成されており、連結縁部３１ｃを中心として回転することにより互いに進退できるようになっている。
【００３３】
把持部３２は、把持部３１と上下対称（図１１の状態での上下対称）に形成されており、把持部３１と同様に、把持部本体３２ａと蓋部３２ｂとからなる一対の蓋状部材を連結縁部３２ｃでヒンジ連結して構成されており、連結縁部３２ｃを中心として回転することにより互いに進退できるようになっている。そして、把持部本体３１ａと蓋部３１ｂおよび把持部本体３２ａと蓋部３２ｂの内面には、それぞれ２個ずつ係合突部３３ａ〜３３ｄが形成されている。把持部本体３１ａの２個の係合突部３３ａと、把持部本体３２ａの２個の係合突部３３ｃとはそれぞれ同じ方向に向けて形成され、蓋部３１ｂの２個の係合突部３３ｂと、蓋部３２ｂの２個の係合突部３３ｄとはそれぞれ同じ方向に向けて形成されている。
【００３４】
このうちの把持部３２における外側の係合突部３３ｃと係合突部３３ｄとを含む断面を図１６に示している。すなわち、係合突部３３ｃは、先端部に小突起３４が形成された弾性突部で構成されており、小突起３４の先端面はテーパ状に形成されている。また、係合突部３３ｄも、先端部に小突起３５が形成された弾性突部で構成されており、小突起３５の先端面はテーパ状に形成されている。そして、蓋部３２ｂを連結縁部３２ｃを中心として回転して把持部本体３２ａの上面に重ねると、係合突部３３ｃと係合突部３３ｄとは、互いのテーパ面を押圧しながら撓んで重なり合う。
【００３５】
そして、小突起３５が小突起３４を越えたところで係合突部３３ｃと係合突部３３ｄとは、元の状態に戻り、小突起３４と小突起３５とが係合する。これによって、把持部本体３２ａと蓋部３２ｂとが組み付けられた状態が維持される。また、把持部本体３１ａと蓋部３１ｂも同様にして組み付けられる。なお、この引抜具３０では、把持部本体３１ａ，３２ａが、被覆部本体３５に連結され、蓋部３１ｂ，３２ｂは、把持部本体３１ａ，３２ａだけに連結されている。また、図１１における１７−１７断面を図１７に示した。
【００３６】
この引抜具３０のそれ以外の部分の構成については、前述した第１実施形態の引抜具２０と同一である。したがって、同一部分に同一符号を記して説明は省略する。これによると、把持部３１，３２を内部が空間になった箱状に形成できるため、成形用材料の使用量を減少させることができるため安価につくとともに、引抜具３０の軽量化が図れる。この実施形態に係る引抜具３０のそれ以外の作用効果については、前述した第１実施形態の引抜具２０と同様である。
【００３７】
また、本発明は、前述した各実施形態に限定するものでなく適宜変更して実施することが可能である。例えば、前述した実施形態では、医療用針１０の係合用段部１４を細径部で構成したが、突部で構成することもできる。また、前述した各実施形態では、引抜具にそれぞれ把持部を設けているが、この引抜具は、係合狭部等からなる係合部を備えた針先被覆部だけで構成することもできる。この場合、針先被覆部を手で握って引き抜き操作を行う。さらに、前述した第２実施形態では、蓋部３１ｂと蓋部３２ｂとが、蓋部２１ｂに連結されていないが、これらを連結して一体にすることもできる。
【図面の簡単な説明】
【００３８】
【図１】本発明の第１実施形態に係る引抜具が取り付けられる医療用針を示した側面図である。
【図２】医療用針を示した平面図である。
【図３】医療用針に排液チューブを接続した状態を示した側面図である。
【図４】引抜具を展開した状態を示した斜視図である。
【図５】引抜具を組み付けた状態を示した斜視図である。
【図６】係合凹部を示した断面図である。
【図７】係合突部を示した断面図である。
【図８】被覆部本体を示した断面図である。
【図９】図４の状態の引抜具に医療用針の穿刺部を設置した状態を示した斜視図である。
【図１０】医療用針に引抜具を取り付けた状態を示した斜視図である。
【図１１】第２実施形態に係る引抜具を展開した状態を示した平面図である。
【図１２】第２実施形態に係る引抜具を展開した状態を示した正面図である。
【図１３】第２実施形態に係る引抜具を展開した状態を示した左側面図である。
【図１４】第２実施形態に係る引抜具を展開した状態を示した右側面図である。
【図１５】第２実施形態に係る引抜具を展開した状態を示した底面図である。
【図１６】図１１の１６−１６断面図である。
【図１７】図１１の１７−１７断面図である。
【符号の説明】
【００３９】
１０…医療用針、１２…穿刺部、１３…接続部、１４…係合用段部、１４ａ…係合凹部、１６…排液チューブ、２０，３０…引抜具、２１…針先被覆部、２１ａ，３５…被覆部本体、２１ｂ…蓋部、２１ｃ…連結縁部、２２ａ，２２ｂ，３１，３２…把持部、２３…針先収容凹部、２４ａ，２４ｂ…係合凹部、２５…係合狭部、２６ｂ…平面、２７ａ，２７ｂ…係合突部。
【図１】
2008093124.tif 000003
【図２】
2008093124.tif 000004
【図３】
2008093124.tif 000005
【図４】
2008093124.tif 000006
【図５】
2008093124.tif 000007
【図６】
2008093124.tif 000008
【図７】
2008093124.tif 000009
【図８】
2008093124.tif 000010
【図９】
2008093124.tif 000011
【図１０】
2008093124.tif 000012
【図１１】
2008093124.tif 000013
【図１２】
2008093124.tif 000014
【図１３】
2008093124.tif 000015
【図１４】
2008093124.tif 000016
【図１５】
2008093124.tif 000017
【図１６】
2008093124.tif 000018
【図１７】
2008093124.tif 000019